(57)【特許請求の範囲】
【請求項１】
容器本体（１０）と、前記容器本体（１０）の一側にヒンジ結合されて開閉する容器蓋（２０）とから構成されるコンパクト容器であって、
前記容器本体（１０）の内部にヒンジ結合され、内周縁に回転軸（３４）が形成された支持体（３０）と、
前記支持体（３０）の内側に回転可能に結合され、外周縁に回転溝（４４）が形成された回転フレーム（４０）と、
前記回転フレーム（４０）の内側に固定結合される内容物容器（５０）と、
前記内容物容器（５０）の内部に収容され、化粧料が含浸された含浸部材（６０）とを含んでなり、
前記支持体（３０）の外周縁の一側は容器本体（１０）の前方内側にヒンジ結合され、前記支持体の外周縁の他側には支持体取っ手（３２）が形成されることで、前記支持体（３０）が容器本体（１０）の後方で持ち上げられ、
前記回転フレーム（４０）の上部と下部にはそれぞれ第１内容物蓋（４１）と第２内容物蓋（４２）が結合され、
前記第１内容物蓋（４１）及び第２内容物蓋（４２）の一側にはそれぞれ第１取っ手（４１２）と第２取っ手（４２２）が形成され、容器本体（１０）の底面の一側には前記第１取っ手（４１２）または第２取っ手（４２２）の挿入される取っ手挿入ホール（１２）が形成されることを特徴とする、内容物容器が回転して残量を防止するコンパクト容器。
【請求項２】
前記容器本体（１０）の前面内側にはヒンジ結合突起（１６）が形成され、前記支持体（３０）の一側にはヒンジ結合溝（３６）が形成されることで、互いに結合されることを特徴とする、請求項１に記載の内容物容器が回転して残量を防止するコンパクト容器。
【請求項３】
前記回転フレーム（４０）の外周縁は、中央部の外径が大きく、上端と下端の外径が中央部の外径よりも小さい「（ ）」形状の曲面をなすことを特徴とする、請求項１に記載の内容物容器が回転して残量を防止するコンパクト容器。
【発明の詳細な説明】
【技術分野】
【０００１】
本発明は、内容物容器が回転して残量を防止するコンパクト容器に係り、より詳細には、容器本体の内部に支持体をヒンジ結合し、前記支持体の内側に回転フレームを回転可能に結合し、前記回転フレームの内側に内容物容器を固定結合し、前記内容物容器の内部に化粧料の含浸された含浸部材を内蔵し、前記支持体の内周縁に回転軸を形成し、前記回転フレームの外周縁に回転溝を形成して相互結合することにより、前記含浸部材の使用中に含浸部材の上部表面が乾燥して固まったときは、容器本体から支持体を持ち上げた後、前記支持体から回転フレームを回転させて内容物容器を覆し、しかる後に、支持体を再び容器本体に結合して使用することができるようにした、内容物容器が回転して残量を防止するコンパクト容器に関する。
【０００２】
また、本発明は、容器本体の前面内側に支持体をヒンジ結合し、前記支持体のヒンジ結合部の反対側に支持体取っ手を形成することにより、容器蓋または支持体が回転するときに互いに影響を与えないようにし、ユーザーが前記支持体取っ手を掴んで容器本体から容易に支持体を持ち上げることができるようにして使いやすくした、内容物容器が回転して残量を防止するコンパクト容器に関する。
【背景技術】
【０００３】
メーキャップ化粧品は、肌に栄養分を供給する基礎化粧品とは異なり、顔料が含まれており、肌のトーン（ｔｏｎｅ）を調整して審美性を向上させる化粧品である。
【０００４】
前記メーキャップ化粧品は、肌色を均一にし且つ欠点をカバーするために使用されるベースメーキャップと、唇、目、爪など部分的に立体感を高めるポイントメーキャップに大別される。一般に、前記ベースメーキャップはメイクアップベース、ファンデーション、パウダーなどに分けられ、ポイントメーキャップはリップスティック、アイライナー、マスカラなどに分けられる。
【０００５】
前記ファンデーションは、化粧料の形態によって固形ファンデーション、液状ファンデーション、ゲル状ファンデーションに区分される。固形ファンデーションの場合は、カバー力は高いものの、メイク直しの際に化粧がヨレるという欠点があり、液状ファンデーションの場合は、密着感は良いものの、化粧もちが弱いという欠点がある。これにより、最近、化粧もちがよく且つ肌への塗布の際に密着感が良いゲル状ファンデーションを好む消費者が多くなった。
【０００６】
前記ゲル状ファンデーションは、一般に、ゲル状ファンデーションをガラス容器またはチューブ容器に充填して、使用の際にユーザーが手に取ったり絞り出したりしてパフまたは手を使って肌に塗布する方式で使用する。
【０００７】
しかし、従来技術は、ユーザーが使用するたびに手に化粧料が付くので、毎回手を洗わなければならず、使用上不便があるという問題点があった。さらに、上述のように化粧料の付いた手を洗うことにより化粧料が失われるという問題点があった。
【０００８】
かかる問題点を解決するために、 韓国特許第１０−１２５７６２８号には、図１に示すコンパクト容器が開示されている。この従来技術は、コンパクトケースの内部に発泡ウレタンフォームを内蔵し、前記発泡ウレタンフォームにゲル状ファンデーションを含浸させたタイプのコンパクト容器である。
【０００９】
前記従来技術のコンパクト容器を使う際には、パフで発泡ウレタンフォームに含浸されたゲル状ファンデーションを付けて肌に塗る。ところが、前記発泡ウレタンフォームに含浸されたゲル状ファンデーションを使用すると、発泡ウレタンフォームの下部分に含浸されたゲル状ファンデーションがまだ残っているにも拘わらず、発泡ウレタンフォームの上部分にあったゲル状ファンデーションが減少することにより、発泡ウレタンフォームの表面が乾燥し、結果として硬く固まってしまい、それ以上ゲル状ファンデーションの内容物を付けて塗ることができなくなるという問題点があった。
【００１０】
これにより、ユーザーは、表面が固まってしまった発泡ウレタンフォームをコンパクトケースから取り外した後、覆してコンパクトケースに再び埋め込むことで、発泡ウレタンフォームの下部分に残っているゲル状ファンデーションを使用しなければならない不便があった。
【００１１】
かかる問題点を解決するために、図２に示すように、本出願人は、韓国実用新案登録第２０−０４７６２４５号で化粧品用コンパクトケースを出願したことがある。
【００１２】
前記従来技術は、ケース本体１と蓋２とがヒンジｈで結合され、化粧品内容物収容体３が前記ヒンジｈに結合され、前記化粧品内容物収容体３はフレーム４と、前記フレーム４の内側で回転できるように結合された回転ユニット５とから構成されるが、前記回転ユニット５の上、下部には第１蓋６と第２蓋７がヒンジ結合され、 前記回転ユニットの内部にはゲル状ファンデーションの含浸された発泡ウレタンフォームが内蔵される。
【００１３】
前記従来技術は、発泡ウレタンフォームの下側に残っているゲル状ファンデーションが発泡ウレタンフォームの上側に位置するように回転ユニット５を回して化粧品内容物収容体３に装着した後、前記発泡ウレタンフォームに残っているゲル状ファンデーションの残量を使用するのである。
【００１４】
ところが、前記従来技術は、化粧品内容物収容体３がケース本体１及び蓋２と一緒にヒンジｈで結合されているので、ユーザーが前記蓋２を回転させて開いたときに化粧品内容物収容体３も一緒に回転して持ち上げられるか、化粧品内容物収容体３を持ち上げるときに蓋２がさらに反らされるなど、互いに回転に影響を与えるという問題点があった。
【００１５】
また、前記従来技術は、回転ユニット５の上、下部に結合された第１蓋６及び第２蓋７の一側にそれぞれ取っ手が突出しており、ケース本体１と回転ユニット５との間に空き空間が形成され、これによりケース本体１の内部空間の活用において非効率的であるという問題点があった。
【発明の概要】
【発明が解決しようとする課題】
【００１６】
本発明は、かかる問題点を解決するためになされたもので、その目的は、容器本体の内部に支持体をヒンジ結合し、前記支持体の内側に回転フレームを回転可能に結合し、前記回転フレームの内側に内容物容器を固定結合し、前記内容物容器の内部に化粧料の含浸された含浸部材を内蔵し、前記支持体の内周縁に回転軸を形成し、前記回転フレームの外周縁に回転溝を形成して相互結合することにより、前記含浸部材の使用中に含浸部材の上部表面が乾燥して固まったときは、容器本体から支持体を持ち上げた後、前記支持体から回転フレームを回転させて内容物容器を覆し、しかる後に、支持体を再び容器本体に結合して使用することができるようにした、内容物容器が回転して残量を防止するコンパクト容器を提供することにある。
【００１７】
また、本発明の他の目的は、容器本体の前面内側に支持体をヒンジ結合し、前記支持体のヒンジ結合部の反対側に支持体取っ手を形成することにより、容器蓋または支持体が回転するときに互いに影響を与えないようにし、ユーザーが前記支持体取っ手を掴んで容器本体から容易に支持体を持ち上げることができるようにして使いやすくした、内容物容器が回転して残量を防止するコンパクト容器を提供することにある。
【００１８】
また、本発明の別の目的は、回転フレームの上部と下部に第１内容物蓋と第２内容物蓋を結合し、前記第１、第２内容物蓋の一側に取っ手を形成し、容器本体の底面に取っ手挿入ホールを形成して前記第１、２内容蓋の取っ手が挿入されるようにすることにより、容器本体と第１、第２内容物蓋との間に空き空間が生じることを防止し、これにより容器本体の内部空間を効率よく使用することができる、内容物容器が回転して残量を防止するコンパクト容器を提供することにある。
【課題を解決するための手段】
【００１９】
本発明は、容器本体１０と、前記容器本体１０の一側にヒンジ結合されて開閉する容器蓋２０とから構成されるコンパクト容器であって、
前記容器本体１０の内部にヒンジ結合され、内周縁に回転軸３４が形成された支持体３０と、
前記支持体３０の内側に回転可能に結合され、外周縁に回転溝４４が形成された回転フレーム４０と、
前記回転フレーム４０の内側に固定結合される内容物容器５０と、
前記内容物容器５０の内部に収容され、化粧料が含浸された含浸部材６０とを含んでなり、
前記支持体３０の外周縁の一側は容器本体１０の前方内側にヒンジ結合され、前記支持体の外周縁の他側には支持体取っ手３２が形成されることで、前記支持体３０が容器本体１０の後方で持ち上げられることを特徴とする、内容物容器が回転して残量を防止するコンパクト容器を提供する。
【００２０】
また、前記容器本体１０の前面内側にはヒンジ結合突起１６が形成され、前記支持体３０の一側にはヒンジ結合溝３６が形成されることで、互いに結合されることを特徴とする。
【００２１】
また、前記回転フレーム４０の上部と下部には、それぞれ第１内容物蓋４１と第２内容物蓋４２が結合されることを特徴とする。
【００２２】
また、前記第１内容物蓋４１及び第２内容物蓋４２の一側にはそれぞれ第１取っ手４１２と第２取っ手４２２が形成され、容器本体１０の底面の一側には前記第１取っ手４１２または第２取っ手４２２の挿入される取っ手挿入ホール１２が形成されることを特徴とする。
【００２３】
また、前記回転フレーム４０の外周縁は、回転フレーム４０が支持体３０の内側で容易に回転することができるように中央部の外径が大きく、上端と下端の外径が中央部の外径よりも小さい「（ ）」形状の曲面をなすことを特徴とする。
【００２４】
また、前記内容物容器５０の上部には、内容物容器５０の内部に収容された含浸部材６０が外部へ離脱することを防止する固定具７０がさらに形成され得る。
【発明の効果】
【００２５】
本発明に係る内容物容器が回転して残量を防止するコンパクト容器は、容器本体の内部に支持体をヒンジ結合し、前記支持体の内側に回転フレームを回転可能に結合し、前記回転フレームの内側に内容物容器を固定結合し、前記内容物容器の内部に化粧料の含浸された含浸部材を内蔵し、前記支持体の内周縁に回転軸を形成し、前記回転フレームの外周縁に回転溝を形成して相互結合することにより、前記含浸部材の使用中に含浸部材の上部表面が乾燥して固まったときは、容器本体から支持体を持ち上げた後、前記支持体から回転フレームを回転させて内容物容器を覆し、しかる後に、支持体を再び容器本体に結合して使用することができるようにしたのである。
【００２６】
また、容器本体の前面内側に支持体をヒンジ結合し、前記支持体のヒンジ結合部の反対側に支持体取っ手を形成することにより、容器蓋または支持体が回転するときに互いに影響を与えないようにし、ユーザーが前記支持体取っ手を握って容器本体から容易に支持体を持ち上げることができるようにして使いやすいという効果がある。
【００２７】
また、回転フレームの上部と下部に第１内容物蓋と第２内容物蓋を結合し、前記第１内容物蓋及び第２内容物蓋の一側に取っ手を形成し、容器本体の底面に取っ手挿入ホールを形成して前記第１、２内容物蓋の取っ手が挿入されるようにすることにより、容器本体と第１、第２内容物蓋との間に空き空間が生じることを防止し、これにより容器本体の内部空間を効率よく使用することができる。
【図面の簡単な説明】
【００２８】
【図１】従来の化粧料組成物が含浸された発泡ウレタンフォームを含む化粧品を示す図である。
【図２】化粧品用コンパクトケースを示す図である。
【図３】本発明に係る内容物容器が回転して残量を防止するコンパクト容器の斜視図である。
【図４】本発明に係る内容物容器が回転して残量を防止するコンパクト容器の分解斜視図である。
【図５】本発明に係る内容物容器が回転して残量を防止するコンパクト容器のＡ−Ａ断面図である。
【図６】本発明に係る内容物容器が回転して残量を防止するコンパクト容器のＢ−Ｂ断面図である。
【図７】本発明に係る内容物容器が回転して残量を防止するコンパクト容器の支持体を持ち上げる様子を示す斜視図である。
【図８】本発明に係る内容物容器が回転して残量を防止するコンパクト容器の支持体を持ち上げる様子を示すＣ−Ｃ断面図である。
【図９】本発明に係る内容物容器が回転して残量を防止するコンパクト容器の回転フレームを回転させる様子を示す斜視図である。
【図１０】本発明に係る内容物容器が回転して残量を防止するコンパクト容器の回転フレームを回転させる様子を示すＤ−Ｄ断面図である。
【発明を実施するための形態】
【００２９】
以下、本発明に係る内容物容器が回転して残量を防止するコンパクト容器を添付図面を参照して詳細に説明する。
【００３０】
図３は本発明に係る内容物容器が回転して残量を防止するコンパクト容器の斜視図、図４は本発明に係る内容物容器が回転して残量を防止するコンパクト容器の分解斜視図、図５は本発明に係る内容物容器が回転して残量を防止するコンパクト容器のＡ−Ａ断面図、図６は本発明に係る内容物容器が回転して残量を防止するコンパクト容器のＢ−Ｂ断面図である。
【００３１】
本発明に係る内容物容器が回転して残量を防止するコンパクト容器は、容器本体１０と、前記容器本体１０の一側にヒンジ結合されて開閉する容器蓋２０とから構成されるコンパクト容器であって、前記容器本体１０の内部にヒンジ結合され、内周縁に回転軸３４が形成された支持体３０と、前記支持体３０の内側に回転可能に結合され、外周縁に回転溝４４が形成された回転フレーム４０と、前記回転フレーム４０の内側に固定結合される内容物容器５０と、前記内容物容器５０の内部に収容され、化粧料が含浸された含浸部材６０とを含んでなり、
前記支持体３０の外周縁の一側は容器本体１０の前方内側にヒンジ結合され、前記支持体の外周縁の他側には支持体取っ手３２が形成されることで、前記支持体３０が容器本体１０の後方で持ち上げられること特徴とする。
【００３２】
前記容器本体１０は、内部中央に支持体３０が装着され、内側には一対の支持体装着溝１３が形成される。
【００３３】
前記容器本体１０の前面にはボタン１４が形成され、前記ボタン１４の上側には、ユーザーの押圧動作によって容易に後退する係止突起１５が一体に形成される。
【００３４】
前記容器本体１０の前面内側、すなわちボタン１４の後ろ側にはヒンジ結合突起１６が形成されて支持体３０がヒンジ結合される。
【００３５】
前記容器本体１０の底面の一側には、第１取っ手４１２または第２取っ手４２２が挿入される取っ手挿入ホール１２が形成される。
【００３６】
前記容器蓋２０は、容器本体１０とヒンジ結合され、前記容器本体１０のヒンジ結合突起１６の反対側にヒンジ結合されて前記容器本体１０を開閉する役割を果たす。
【００３７】
前記容器蓋２０の一側には、容器本体１０の係止突起１５と対応する突起形状のフック２５が形成されるが、前記フック２５は、容器本体１０の係止突起１５に締結される。
【００３８】
前記容器蓋２０の内側には、ユーザーが容易にメーキャップをすることができるように鏡２２が備えられる。
【００３９】
前記支持体３０は、容器本体１０の内部に装着され、リング状に形成される。
【００４０】
前記支持体３０の一側にはヒンジ結合溝３６が形成され、このヒンジ結合溝は容器本体１０のヒンジ結合突起１６にヒンジ結合される。
【００４１】
前記支持体３０のヒンジ結合溝３６の反対側には、ユーザーが容易に支持体３０を掴んで持ち上げることができるように支持体取っ手３２が形成される。
【００４２】
すなわち、本発明に係るコンパクト容器は、容器本体１０の一側に容器蓋２０をヒンジ結合し、反対側に支持体３０をヒンジ結合することにより、容器本体１０から容器蓋２０または支持体３０を回転させて開くときに互いに影響を与えなくなる。
【００４３】
前記支持体３０の内周縁には一対の回転軸３４が突出しており、前記回転軸３４は、回転フレーム４０が回転するための軸の役割を果たす。
【００４４】
前記回転軸３４の上部には、回転フレーム４０が回転するときに第１、第２内容物蓋４１、４２の第１、第２取っ手４１２、４２２またはヒンジ部４３がかかることを防止する回転係止防止溝３８が形成される。
【００４５】
前記回転フレーム４０は、支持体３０の内側に回転可能に結合される。
【００４６】
前記回転フレーム４０の外周縁には一対の回転溝４４が形成され、この回転溝４４に前記支持体３０の回転軸３４が挿入される。
【００４７】
前記回転フレーム４０の内周縁には、内容物容器５０が結合される結合環状突起４６が突設される。
【００４８】
前記回転フレーム４０の上部と下部には、内容物容器５０の上部と下部を密閉させる第１内容物蓋４１と第２内容物蓋４２がヒンジ結合される。
【００４９】
前記第１、第２内容物蓋４１、４２は、一側にそれぞれ第１取っ手４１２と第２取っ手４２２が突出し、下部にそれぞれ第１密閉環状突起４１４と第２密閉環状突起４２４が下方に伸びている。
【００５０】
前記第１、第２内容物蓋４１、４２の第１取っ手４１２または第２取っ手４２２は容器本体１０の取っ手挿入ホール１２に挿入される。よって、容器本体１０の底面と第１、第２内容物蓋４１、４２との間に空き空間が生じることを防止し、これにより容器本体１０の内部空間を効率よく使用することができる。
【００５１】
前記第１、第２内容物蓋４１、４２の第１、第２取っ手４１２、４２２は上面が曲面状に形成されるが、これは、回転フレーム４０が支持体３０の内側で回転するとき、前記第１、第２取っ手４１２、４２２が支持体３０の回転係止防止溝３８の両側面にかかることなく容易に回転することができるようにするためである。
【００５２】
前記回転フレーム４０の外周縁は、回転フレーム４０が支持体３０の内側で容易に回転することができるように中央部の外径が大きく、上端と下端の外径が中央部の外径よりも小さい「（ ）」形状の曲面をなす。
【００５３】
前記内容物容器５０は、回転フレーム４０の内側に固定さ結合され、内部に含浸部材６０が内蔵される。
【００５４】
前記内容物容器５０は、上部と下部が開放された円筒状であり、内壁５１、前記内壁５１から外側に一定間隔離間して形成された外壁５２、及び前記内壁５１と外壁５２とを連結する連結部５３から構成される。
【００５５】
前記内容物容器５０の内壁５１の下端には係止顎５４が内側に延設され、前記係止顎５４は、内容物容器５０の内部に収容された含浸部材６０が外部へ離脱しないようにするものである。
【００５６】
前記内容物容器５０の外壁５２の外周縁には上部結合突起５５と下部結合突起５６が交互に形成され、前記上部結合突起５５と下部結合突起５６との間に回転フレーム４０の結合環状突起４６が挟まれて内容物容器５０が固定される。
【００５７】
また、前記内容物容器５０の内壁５１の上部には、内容物容器５０の内部に収容された含浸部材６０が外部へ離脱することを防止する固定具７０がさらに形成される。
【００５８】
前記固定具７０は、内壁５１の上端に装着される水平延長部７１と、前記水平延長部７１の下側に延設され、内壁５１と外壁５２との間に結合される下部延長部７２とからなる。
【００５９】
前記含浸部材６０は、内容物容器５０の内部に収容され、ゲル状ファンデーション化粧料が含浸される。
【００６０】
次に、上述のように構成された内容物容器が回転して残量を防止するコンパクト容器の組立方法を説明する。
【００６１】
本発明に係る内容物容器が回転して残量を防止するコンパクト容器を組み立てるためには、図４乃至図６に示すように、まず、内容物容器５０の内側に化粧料が含浸された含浸部材６０を挿入し、固定具７０を内容物容器５０の内壁５１の上端に結合して含浸部材６０を固定する。
【００６２】
その後、前記内容物容器５０を回転フレーム４０の内側に結合し、前記内容物容器５０の上部結合突起５５と下部結合突起５６との間に回転フレーム４０の結合環状突起４６を挟んで内容物容器５０が固定されるようにする。
【００６３】
次いで、前記回転フレーム４０の上部と下部に第１内容物蓋４１と第２内容物蓋４２をヒンジ結合する。
【００６４】
次に、前記回転フレーム４０を支持体３０の内側に結合し、前記支持体３０の回転軸３４が回転フレーム４０の回転溝４４に差し込まれるようにする。
【００６５】
最後に、一側に容器蓋２０がヒンジ結合された容器本体１０の内部に上述のように組み立てられた支持体３０をヒンジ結合するが、前記容器本体１０のヒンジ結合突起１６が支持体３０のヒンジ結合溝３６にヒンジ結合されるようにし、第２内容物蓋４２の第２取っ手４２２が容器本体１０の取っ手挿入ホール１２に挿入されるようにすることにより、本発明に係る内容物容器が回転して残量を防止するコンパクト容器の組み立てを完了する。
【００６６】
以下、上述のような方法で組み立てられた、内容物容器が回転して残量を防止するコンパクト容器の使用方法を説明する。
【００６７】
図７は本発明に係る内容物容器が回転して残量を防止するコンパクト容器の支持体を持ち上げる様子を示す斜視図、図８は本発明に係る内容物容器が回転して残量を防止するコンパクト容器の支持体を持ち上げる様子を示すＣ−Ｃ断面図、図９は本発明に係る内容物容器が回転して残量を防止するコンパクト容器の回転フレームを回転させる様子を示す斜視図、図１０は本発明に係る内容物容器が回転して残量を防止するコンパクト容器の回転フレームを回転させる様子を示すＤ−Ｄ断面図である。
【００６８】
本発明に係る内容物容器が回転して残量を防止するコンパクト容器を使用するためには、まず、容器本体１０の一側に形成されたボタン１４を押圧して容器本体１０から容器蓋２０を開放する。
【００６９】
その後、内容物容器５０の上部に形成された第１内容物蓋４１の第１取っ手４１２を掴んで回動させて前記内容物容器５０から第１内容物蓋４１を開放した後、パフなどの化粧道具で、内容物容器５０の内部に収容された含浸部材６０を付けて肌にまんべんなく塗る。
【００７０】
メーキャップの終了後には、前記第１内容物蓋４１を回動させて内容物容器５０を閉じた後、前記容器蓋２０を回動させて容器本体１０を閉じる。
【００７１】
本発明に係る内容物容器が回転して残量を防止するコンパクト容器の含浸部材６０を使用する途中、前記含浸部材６０の上部分に含浸された化粧料が全て消尽し、含浸部材６０の表面が乾燥して固まってしまうと、前記含浸部材６０を覆して使用するが、まず、図７及び図８に示すように、支持体３０の支持体取っ手３２を掴んで前記支持体３０を容器本体１０の後方から持ち上げることにより、回転フレーム４０が回転できる空間を確保する。
【００７２】
このとき、前記支持体３０は、容器本体１０の前面内側にヒンジ結合されており、容器蓋２０は、容器本体１０の反対側にヒンジ結合されているので、前記支持体３０が回転するとき、容器蓋２０に影響を与えなくなる。
【００７３】
その後、図９及び図１０に示すように、回転フレーム４０を支持体３０の回転軸３４を中心に回転させることにより、内部に含浸部材６０が収容された内容物容器５０を覆す。
【００７４】
この際、前記回転フレーム４０の第１、第２内容物蓋４１、４２とヒンジ部４３は、支持体３０の回転係止防止溝３８内で回転して支持体３０に係止されないようにする。
【００７５】
最後に、前記支持体３０を降ろして、図３及び図５に示すように容器本体１０の内部に装着させることにより、本発明に係る内容物容器が回転して残量を防止するコンパクト容器の使用を完了する。
【００７６】
以上、本発明で説明したのは、 内容物容器が回転して残量を防止するコンパクト容器を実施するための一つの実施形態に過ぎないものであり、本発明は、前記実施形態に限定されるものではない。添付された請求の範囲で請求するように、本発明の要旨を逸脱することなく当該発明の属する分野における通常の知識を有する者であれば誰でも様々な変更実施が可能な範囲まで本発明の範囲に属するものと看做されるべきである。
【符号の説明】
【００７７】
１０    容器本体
１２    取っ手挿入ホール
１６    ヒンジ結合突起
２０    容器蓋
３０    支持体
３２    支持体取っ手
３４    回転軸
３６    ヒンジ結合溝
４０    回転フレーム
４１    第１内容物蓋
４２    第２内容物蓋
４４    回転溝
５０    内容物容器
６０    含浸部材
７０    固定具
４１２    第１取っ手
４２２    第２取っ手
【図１】
0006641475.tif 000002
【図２】
0006641475.tif 000003
【図３】
0006641475.tif 000004
【図４】
0006641475.tif 000005
【図５】
0006641475.tif 000006
【図６】
0006641475.tif 000007
【図７】
0006641475.tif 000008
【図８】
0006641475.tif 000009
【図９】
0006641475.tif 000010
【図１０】
0006641475.tif 000011